【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
電気光学的光変調素子に使用する、メソゲン性変調媒体であって、該メソゲン性変調媒体は、特定の温度範囲においてブルー相を有し、
−１つ以上のキラル分子からなるキラル成分である成分（Ａ)と、
−１つ以上のアキラル分子からなるアキラル成分である成分（Ｂ)とを含み、
−アキラル成分である成分（Ｂ)は、
次の式Ｉおよび式ＩＩの化合物群から選択される１種または２種以上の化合物を含むことを特徴とする、前記メソゲン性変調媒体。
【化１】
2012068645.tif 000001
ここで、
Ｒ１ は、１〜７個のＣ原子を有するアルキルまたは２〜７個のＣ原子を有するオキサアルキルを示し、
【化２】
2012068645.tif 000002
を示し、
Ｚ１１およびＺ１２は、それぞれ互いに独立して、単結合、−ＣＯ−Ｏ−、トランス−ＣＨ＝ＣＨ−、−ＣＨ＝ＣＦ−、−ＣＦ＝ＣＨ−、−ＣＦ＝ＣＦ−、−ＣＨ＝ＣＨ−ＣＯ−Ｏ−、−ＣＦ＝ＣＦ−ＣＯ−Ｏ−、−ＣＦ＝ＣＨ−ＣＯ−Ｏ−、−ＣＨ＝ＣＦ−ＣＯ−Ｏ−、−ＣＦ２−Ｏ−、−Ｏ−ＣＦ２−、もしくは−Ｃ=Ｃ−またはこれらの基の２種または３種以上の組み合わせを示し、
Ｘ１は、Ｆ、−ＯＣＦ３、−ＣＦ３、−ＯＣＦ２Ｈ、Ｃｌ、ＣＮ、−Ｃ=Ｃ−ＣＮ、またはＮＣＳを示し、
Ｙ１１、Ｙ１２、Ｙ１３、およびＹ１４は、ＨまたはＦを示し、および
ｎ１は、０または１を示し、
【化３】
2012068645.tif 000003
ここで、
Ｒ２ は、１〜７個のＣ原子を有するアルキルまたはアルコキシ、２〜７個のＣ原子を有するアルケニル、アルケニルオキシまたはオキサアルキルを示し、好ましくは、１〜５個のＣ原子を有するアルキルまたはアルコキシまたは２〜５個のＣ原子を有するアルケニル、好ましくはアルキルまたはアルコキシを示し、
【化４】
2012068645.tif 000004
であり、
Ｚ２１およびＺ２２は、それぞれ互いに独立して、単結合、−ＣＯ−Ｏ−、トランス−ＣＨ＝ＣＨ−、−ＣＨ＝ＣＦ−、−ＣＦ＝ＣＨ−、−ＣＦ＝ＣＦ−、−ＣＨ＝ＣＨ−ＣＯ−Ｏ−、−ＣＦ＝ＣＦ−ＣＯ−Ｏ−、−ＣＦ＝ＣＨ−ＣＯ−Ｏ−、−ＣＨ＝ＣＦ−ＣＯ−Ｏ−、−ＣＦ２−Ｏ−、−Ｏ−ＣＦ２−、もしくは−Ｃ=Ｃ−またはこれらの基の２種または３種以上の組み合わせを示し、
Ｘ２は、Ｆ、−ＯＣＦ３、−ＣＦ３、−ＯＣＦ２Ｈ、Ｃｌ、ＣＮ、−Ｃ=Ｃ−ＣＮまたはＮＣＳを示し、
Ｙ２は、ＨまたはＦを示し、および
ｎ２は、０または１を示す。
【請求項２】
ブルー相が５℃または５℃以上の温度範囲を有する、請求項１に記載の媒体。
【請求項３】
ブルー相が１０℃または１０℃以上の温度範囲を有することを特徴とする、請求項２に記載の媒体。
【請求項４】
ブルー相が０℃またはそれ以下から８０℃またはそれ以上の温度範囲を有することを特徴とする、請求項１〜３のいずれか一項に記載の媒体。
【請求項５】
メソゲン変調媒体のアキラル成分である成分（Ｂ）が、請求項１の式Ｉの化合物の一つまたはそれ以上を含むことを特徴とする、請求項１〜４のいずれか一項に記載の媒体。
【請求項６】
メソゲン変調媒体のアキラル成分である成分（Ｂ）が、請求項１の式ＩＩの化合物の一つまたはそれ以上を含むことを特徴とする、請求項１〜５のいずれか一項に記載の媒体。
【請求項７】
メソゲン変調媒体のアキラル成分である成分（Ｂ）が、請求項１の式Ｉの化合物の一つまたはそれ以上、および、請求項１の式ＩＩの化合物の一つまたはそれ以上を含むことを特徴とする、請求項５または６に記載の媒体。
【請求項８】
メソゲン変調媒体のキラル成分である成分（Ａ）が、二つ以上のキラル化合物からなることを特徴とする、請求項１〜７のいずれか一項に記載の媒体。
【請求項９】
成分（Ａ）の全てのキラル化合物が、参照混合物ＭＬＣ−６８２８中において、２０℃で、螺旋ねじれ力（ＨＴＰ）の同じ符号を有することを特徴とする、請求項１〜８のいずれか一項に記載の媒体。
【請求項１０】
成分（Ａ）の１種または２種以上のキラル化合物のＨＴＰ値が、参照混合物ＭＬＣ−６８２８中において、２０℃で、１０μｍ−１、またはそれ以上であることを特徴とする、請求項１〜１０のいずれか一項に記載の媒体。
【請求項１１】
ブルー相またはコレステリック相から等方相への変換温度より４度高い温度での、変調媒体の誘電感受性（εａｖ．）が４０またはそれ以上であることを特徴とする、請求項１〜１２のいずれか一項に記載の媒体。
【請求項１２】
透明点より４度低い温度での光学的異方性が、０．０５０またはそれ以上、であることを特徴とする、請求項１〜１１のいずれか一項に記載の媒体。
【請求項１３】
−１つの基板、または複数の基板
−電極装置
−光の偏光化のための１つの素子、または複数の素子、および
−請求項１〜１２のいずれか一項に記載のメソゲン性変調媒体
を含む電気光学的光変調素子であって、
メソゲン性変調媒体が、光変調素子がブルー相を有する温度で動作する、
前記電気光学的光変調素子。
【請求項１４】
電極装置が、メソゲン性変調媒体の表面と平行に、有意な成分を有する電界を発生させることができることを特徴とする、請求項１３に記載の電気光学的光変調素子。
【請求項１５】
メソゲン性変調媒体が二つの偏光子の間に位置することを特徴とする、請求項１３または１４に記載の電気光学的光変調素子。
【請求項１６】
変調媒体の１０％相対的コントラスト（Ｖ１０）に対する、ｄＶ＊１０／ｄＴ ＝ ｄＶ１０（Ｔｒｅｆ．）／ｄＴ ／ Ｖ１０（Ｔｒｅｆ．）で定義され、
Ｖ１０は、１０％相対的コントラストが達成される電圧を表し、
Ｔは、温度を表し、
Ｔｒｅｆ．は、参照温度Ｔｒｅｆ．＝Ｔｃｈａｒ．＋２°を表し、
Ｔｃｈａｒ．は、特性温度を表すものである、
特性電圧の相対的温度依存性（ｄＶ＊１０／ｄＴ）が、
特性温度付近＋／−１°の範囲における特性温度（Ｔｃｈａｒ．）より２°高い温度で、３０％／度またはそれ以下であること
を特徴とする、請求項１３〜１５のいずれか一項に記載の電気光学的光変調素子。
【請求項１７】
相対的温度依存性（ｄＶ＊１０／ｄＴ）が、２３％／度またはそれ以下であること
を特徴とする、請求項１６に記載の光変調素子。
【請求項１８】
１０％相対的コントラスト（Ｖ１０）に対する特性電圧が、セル内の変調媒体の特性温度（Ｔｃｈａｒ．）より２°高い温度で、８０Ｖ以下であること
を特徴とする、請求項１３〜１７のいずれか一項に記載の光変調素子。
【請求項１９】
請求項１３〜１８のいずれか一項に記載の１種または２種以上の光変調素子を含有する電気光学的ディスプレイ。
【請求項２０】
ディスプレイがアクティブマトリックスにより駆動されることを特徴とする、請求項１９に記載の電気光学的ディスプレイ。
【請求項２１】
請求項１９または２０に記載の１つまたは２つ以上の電気光学的ディスプレイを含有する電気光学的ディスプレイシステム。
【請求項２２】
テレビジョンスクリーン、コンピューターモニター、またはその双方として用いることができることを特徴とする、請求項２１に記載の電気光学的ディスプレイシステム。
【請求項２３】
請求項１３〜１８のいずれか一項に記載の光変調素子の、情報のディスプレイのための使用。
【請求項２４】
請求項１９または２０に記載の電気光学的ディスプレイの電気光学的ディスプレイシステムにおける使用。
【請求項２５】
請求項２１または２２に記載の電気光学的ディスプレイシステムの、ビデオシグナルまたはデジタルシグナルのディスプレイのための使用。